(57)【特許請求の範囲】
【請求項１】
貯蔵室の前方開口を開閉する貯蔵室扉と、
該貯蔵室扉内の断熱材と、
該貯蔵室扉の前面の透光性の扉前面部材と、
基板を収納する基板収納部材と、
該基板収納部材に収納された前記基板の前面を覆う基板前面部材と、
該基板前面部材に表された複数の操作部と、
該操作部の操作結果を表示する前記基板前面部材に表された表示部と、
前記表示部及び前記操作部を照射する発光手段と、
前記操作部の後方であって前記基板前面部材と前記基板収納部材との間に設けられて静電容量の変化を検出する複数の検出部と、
該検出部の検出結果に基づいて前記発光手段を制御する制御部と、
前記検出部と前記基板前面部材との間に設けられて、前記操作部に前記発光手段からの光を導く第一の導光手段と、
前記表示部に前記発光手段からの光を導く第二の導光手段と、
前記基板と前記基板前面部材との間に前記第二の導光手段の光を遮断する遮光手段と、を備え、
前記発光手段は、前記操作部を発光する操作部用ＬＥＤと、前記表示部を発光する表示部用ＬＥＤとを有し、
前記操作部用ＬＥＤ及び前記検出部は、前記基板の前面に配置されて、
前記検出部は複数配列して設けられ、
前記操作部用ＬＥＤは、配列した複数の前記検出部の間であって、且つ該検出部の配列方向に対して直交する方向に該検出部の縁部より外側に離れて配置したことを特徴とする冷蔵庫。
【請求項２】
前記表示部を複数有し、該複数の表示部に対応して前記第二の導光手段を複数有し、該第二の導光手段の周囲に前記遮光手段を設けたことを特徴とする、請求項１記載の冷蔵庫。
【請求項３】
前記第一の導光手段及び前記遮光手段は、前記基板前面から前方への高さ位置を同一、若しくは前記遮光手段を前記第一の導光手段よりも前記基板前面から前方へ高くしたことを特徴とする、請求項１又は２記載の冷蔵庫。
【請求項４】
前記遮光手段は、前記基板収納部材の前面外周縁部の位置と同一、若しくは該前面外周縁部より前方に位置することを特徴とする、請求項１乃至３のいずれかに記載の冷蔵庫。
【請求項５】
前記表示部用ＬＥＤは、前記基板の背面に配置されて、
前記基板は、前記表示部用ＬＥＤの周囲であって前記表示部の対向面の位置に孔部が形成されて、該孔部に前記表示部用導光手段が配置されたことを特徴とする、請求項１乃至４のいずれかに記載の冷蔵庫。
【請求項６】
前記第一の導光手段は、
前記複数の操作部の位置にそれぞれ対応する位置で且つ前記基板との対向面に前記操作部用ＬＥＤからの光を集光する複数の第一の集光部と、
前記複数の第一の集光部の配列方向であって、且つ該複数の第一の集光部の間に位置する第二の集光部と、
を備えたことを特徴とする請求項５記載の冷蔵庫。
【発明の詳細な説明】
【技術分野】
【０００１】
本発明は、冷蔵庫に関するものである。
【背景技術】
【０００２】
本技術分野の背景技術として、特開２０１３−６１１２１号公報（特許文献１）がある。
【０００３】
特許文献１の要約欄には、「冷蔵庫１の扉１０は扉前面板２０が透光性材料で形成されている。扉前面板２０の裏側には照光式表示部４９ａ〜４９ｅと静電容量方式操作スイッチ４６ａ〜４６ｆを備えた操作部兼用の表示ユニット４０が配置される。操作スイッチ４６ａは扉前面板２０に形成された常時視認可能なマーク２０ａに扉前面板２０の裏側から重なる。操作スイッチ４６ｂ〜４６ｆは照光式操作スイッチとされる。操作スイッチ４６ａが操作を受け付けたとき、照光式操作スイッチ４６ｂ〜４６ｆと、照光式表示部４９ａ〜４９ｅのうち冷蔵庫１の現在設定状態を表すものが消灯状態から点灯状態になる。」と記載されている。
【先行技術文献】
【特許文献】
【０００４】
【特許文献１】特開２０１３−６１１２１号公報
【発明の概要】
【発明が解決しようとする課題】
【０００５】
しかしながら、特許文献１の段落００４３には、「表示ユニット４０は次のように構成される。図５に示す通り、筐体４２の前面を表示シート４３が覆う。表示シート４３は透明であり、所定箇所に文字や図形が印刷されている。表示シート４３の裏側には複数の導光板４４とそれらを光らせる複数の発光ダイオード（以下「ＬＥＤ」の呼称を用いる）が配置されている。」と記載されている。
【０００６】
この構成では、ＬＥＤの点灯時にある導光板から隣接する他の導光板に光が漏れ、表示シートの照射範囲に斑が生じ、視認性が低下する。また、複数の導光板を透明樹脂で一体成型しており、導光板の連結部分を介して光が漏れる。
【０００７】
更に、複数の導光板は互いに隣接しており、一方の導光板を点灯させたとき、その光が他方の導光板に漏れる虞がある。異なる色のＬＥＤを用いた場合（例えば、表示部の文字は青色、操作部の文字は白色）、互いの光が干渉し合って色の見え方、外観意匠性に影響を与える。
【０００８】
そこで本発明は、扉前面部材の前面に操作部及び表示部を、均一に斑を抑えて表示させる冷蔵庫を提供する。
【課題を解決するための手段】
【０００９】
本発明は一例として、貯蔵室の前方開口を開閉する貯蔵室扉と、該貯蔵室扉内の断熱材と、該貯蔵室扉の前面の透光性の扉前面部材と、基板を収納する基板収納部材と、該基板収納部材に収納された前記基板の前面を覆う基板前面部材と、該基板前面部材に表された複数の操作部と、該操作部の操作結果を表示する前記基板前面部材に表された表示部と、前記表示部及び前記操作部を照射する発光手段と、前記操作部の後方であって前記基板前面部材と前記基板収納部材との間に設けられて静電容量の変化を検出する複数の検出部と、該検出部の検出結果に基づいて前記発光手段を制御する制御部と、前記検出部と前記基板前面部材との間に設けられて、前記操作部に前記発光手段からの光を導く第一の導光手段と、前記表示部に前記発光手段からの光を導く第二の導光手段と、前記基板と前記基板前面部材との間に前記第二の導光手段の光を遮断する遮光手段と、を備え、前記発光手段は、前記操作部を発光する操作部用ＬＥＤと、前記表示部を発光する表示部用ＬＥＤとを有し、前記操作部用ＬＥＤ及び前記検出部は、前記基板の前面に配置されて、前記検出部は複数配列して設けられ、  前記操作部用ＬＥＤは、配列した複数の前記検出部の間であって、且つ該検出部の配列方向に対して直交する方向に該検出部の縁部より外側に離れて配置したことを特徴とする。
【発明の効果】
【００１０】
本発明によれば、扉前面部材の前面に操作部及び表示部を、均一に斑を抑えて表示させる冷蔵庫を提供することができる。
【図面の簡単な説明】
【００１１】
【図１】本発明の実施例に係る冷蔵庫の正面図である。
【図２】図１のＰ部に示す表示部及び操作部の表示状態を表す図である。
【図３】図１に示す扉の反ヒンジ側面の図である。
【図４】図１に示す扉のＡ−Ａ断面図である。
【図５】本発明の実施例に係るガラス板及び基板組品の構成を説明する図である。
【図６】本発明の実施例に係る基板組品の上面図である。
【図７】図１に示す扉のＢ−Ｂ断面図である。
【図８】本発明の実施例に係る基板ケースを説明する図である。
【図９】本発明の実施例に係る基板組品の分解斜視図である。
【図１０】図９に示す基板組品からフィルムを除いた状態の正面図である。
【図１１】図１に示す扉のＢ−Ｂ断面の要部拡大図である。
【図１２】本発明の実施例に係る遮光手段の要部縦断面図である。
【図１３】本発明の実施例に係る第一の導光手段（操作部要導光部）の背面斜視図である。
【図１４】本発明の実施例に係るフィルムの背面図である。
【発明を実施するための形態】
【００１２】
以下、本発明の実施の形態について、図面を参照しながら説明する。
【００１３】
まず、図１から図４を用いて、実施の形態１について説明する。図１は、本発明の実施の形態に係る冷蔵庫の正面図であり表示部及び操作部が非表示状態の図である。図２は、図１のＰ部に示す表示部及び操作部の表示状態の図である。図３は、図１に示す扉の反ヒンジ側面の図である。図４は、図１に示す扉のＡ−Ａ断面図である。
【００１４】
図１において、１は冷蔵庫本体である。冷蔵庫本体１は、上から順に冷蔵室２ｄ，冷凍室４ｄ１，野菜室５ｄ等を有している。冷蔵室２ｄと冷凍室４ｄ１との間には、急冷凍室４ｄ２が設けられて、急冷凍室４ｄ２の隣に製氷室４ｄ３が設けられている。
【００１５】
また、各貯蔵室の前方開口には、該前方開口を開閉する扉が設けられている。すなわち、冷蔵室２ｄの前方開口には、左冷蔵室扉２ａ及び右冷蔵室扉２ｂが設けられ、冷凍室４ｄ１，急冷凍室４ｄ２，製氷室４ｄ３及び野菜室５ｄの夫々の前方開口には、冷凍室扉４ｂ，急冷凍室扉４ｃ，製氷室扉４ａ及び野菜室扉５が夫々設けられている。
【００１６】
左冷蔵室扉２ａ及び右冷蔵室扉２ｂは、夫々冷蔵庫本体１の上部に設けられた上ヒンジ３（左ヒンジ３ａ，右ヒンジ３ｂ）等によって、回転自在に軸支されている。すなわち、観音開き式に構成された、いわゆるフレンチドアを構成している。
【００１７】
また、冷凍室扉４ｂ，急冷凍室扉４ｃ，製氷室扉４ａ及び野菜室扉５は、夫々引き出し式の扉であって、夫々の貯蔵室の容器とともに引き出し自在である。
【００１８】
そして、左冷蔵室扉２ａ及び右冷蔵室扉２ｂ，冷凍室扉４ｂ，急冷凍室扉４ｃ，製氷室扉４ａ並びに野菜室扉５は、その外表面に透明度のあるガラス板６ａが設けられている。
【００１９】
発泡断熱材７は、図４に示すように、ガラス板６ａから成る扉前面板（扉前面部材）６と扉内板８との間に充填発泡される。扉前面板６であるガラス板６ａの板厚は、本実施例では２ｍｍから３.５ｍｍである。この板厚は、冷蔵庫組み立て時、冷蔵庫移送時、及び冷蔵庫使用時等に生じる衝撃によってガラス板６ａが割れたり、亀裂が生じたりしない寸法である。
【００２０】
また、さらに強度を確保する場合や板厚を薄くする場合等には、ガラス板６ａに熱強化処理や化学強化処理等を施してもよい。なお、ガラス板６ａは絶縁体である。
【００２１】
次に、図１及び図２において、９は操作部である。操作部９は、使用者が外部から操作することで、冷蔵室２ｄ及び冷凍室４ｄ１等の各貯蔵室の室温を設定したり、冷蔵室２ｄや冷凍室４ｄ１を急速に冷却したり、製氷装置の運転オン／オフや急速製氷を設定したりする。また、冷蔵室２ｄに設けられ、貯蔵空間を減圧或いは低酸素状態にして、貯蔵食品の鮮度維持や酸化劣化の抑制を図る貯蔵室（図示なし）の温度を調節したり、減圧或いは低酸素化の機能を切るように設定したりする。すなわち、操作部９を使用者が操作することで、冷蔵庫の諸機能の設定ができる。
【００２２】
また、１０は表示部である。表示部１０は、操作部９からの入力結果を冷蔵庫本体１の外部に表示する。これにより、使用者が操作部９で行った操作を確認したり、先に設定されている諸機能の状態を確認したりすることができる。
【００２３】
操作部９及び表示部１０は、特別なパネルを取り付けたものではなく、ガラス板６ａに設けられている。すなわち、左冷蔵室扉２ａに設けられたガラス板６ａは、操作部９及び表示部１０を含めて、該左冷蔵室扉２ａの外表面全体に亘って平面になるように設けられている。
【００２４】
換言すると、操作部９及び表示部１０は、ガラス板６ａである扉前面板６に直接設けられている。このため、従来の操作パネルは省略されている。
【００２５】
また、９ａは操作部９及び表示部１０を点灯させ表示させるための表示用タッチ部であり表示用タッチ部９ａを操作することで、操作部９及び表示部１０は図１の消灯状態から、図２の点灯状態に移行する。即ち、使用者が表示用タッチ部９ａ（一例として「ＭＥＮＵ」の文字表示マーク）を押す、触れる、手指を近づける等の操作をすることで、常時視認可能な表示用タッチ部９ａ以外の操作部９及び表示部１０の文字や記号等が、消灯状態から点灯状態に切り替わり、ガラス板６ａ上に表示され、操作部１０の操作が可能となる。これにより、通常時、常時視認可能な文字や図形等の表示は表示用タッチ部９ａのみとなり、操作部９及び表示部１０の非点灯時はシンプルな外観とすることができ、デザイン性を向上することができる。また、操作部９及び表示部１０を必要なときだけ点灯させるので、省エネルギー効果を得ることができる。
【００２６】
尚、表示用タッチ部９ａを操作すると、操作部９及び表示部１０の全ての文字や図形等が点灯表示される。その一定時間経過後（例えば０．１〜１．０秒程度）、表示部１０は現在設定されている諸機能の設定状態を表わす表示のみが表示され、それ以外の表示は消灯される。更に、無操作状態が一定時間経過（例えば１分〜３分）すると、操作部９及び表示部１０の文字や図形等は全て消灯し、表示用タッチ部９ａのみが視認可能となる。このように、常時認識可能な表示用タッチ部９ａを操作した後、一旦、全ての文字等を点灯表示させることで、使用者は、冷蔵庫の機能の確認及び何を設定変更できるのか等を確認できる。
【００２７】
また、ガラス板６ａの裏面は、有色塗料が塗布されている。これにより、発泡断熱材７が正面側より見えないように処理されて、かつ操作部９及び表示部１０は表示用タッチ部９ａの操作によって明確に視認されるので、外観性の優れた扉を構成している。
【００２８】
次に、図２を参照しながら、操作部９及び表示部１０についてさらに詳細に説明する。
【００２９】
図２において、破線で囲まれた操作部９の文字（節電，冷凍，冷蔵，製氷，冷却モード、真空チルドの各文字）や図形等の表示は、後述するフィルム（基板前面部材）１６の色を部分的に抜いて表された透光性を有する文字（以下、透光性文字）であり、後述する基板上のＬＥＤ（発光ダイオード）等が発光したときのみガラス板６ａの前面に透過して表示され認識できる。また、表示用タッチ部９ａは、ガラス板６ａの裏面に直接印刷等により表わされたものである。操作部９は、当該文字部分が形成された面に対向する位置の前面（即ち、ガラス板６ａの前面側）のことを称する。なお、ガラス板６ａの裏面に表示用タッチ部９ａを設ける手段としては、印刷の他、エッチングや象嵌等が挙げられる。
【００３０】
また、図２において、実線で囲んだ部分は、上述の操作部９の操作による入力に伴い、諸機能の設定状態を示す表示部１０である。そして、この表示部１０の文字（「電動引き出し入」、「給水」、「外出，節電」、「強，中，弱」、「急速製氷，製氷，製氷停止」，「急冷蔵，急冷凍，野菜室強」，「氷温，チルド」）や図形等は、操作部９と同様にフィルム１６の色を部分的に抜いて表された透光性文字であり、後述する基板上のＬＥＤ等が発光したときのみガラス板６ａの前面に透過して表示され認識できる。
【００３１】
当該フィルム１６は、扉前面板６であるガラス板６ａの裏面に、密着或いは隙間がごく僅かとなるよう取り付けられている。そのため、表示用タッチ部９ａを操作した後、ガラス板６ａを透過して、左冷蔵室扉２ａの正面から、明確にその文字表示を確認することができる。すなわち、視認性が高く、かつ平面なガラス板で外表面が構成された、外観性の優れた扉を構成している。
【００３２】
また、操作部９及び表示部１０は、図２に示す如く上下に併設して設けられている。表示部１０には、冷蔵庫本体１の持つ機能として、急冷蔵や急冷凍が動作中である旨等が表示されるよう構成されている。
【００３３】
更に、表示部１０の文字表示は、後述する基板上のＬＥＤ（発光ダイオード）等により照明されて、ガラス板６ａ前面まで投光して、浮き上がって見えるように構成されている。
【００３４】
次に、図３において、１１は左冷蔵室扉２ａの側面に設けられた蓋である。蓋１１は、左冷蔵室扉２ａの反ヒンジ側に設けられ、隣り合う右冷蔵室扉２ｂとの間に設けられている。この構成において、左冷蔵室扉２ａ及び右冷蔵室扉２ｂが閉じている場合、蓋１１は使用者から外観上、見えないようになっている。
【００３５】
次に、図４において、６は扉前面板、７は発泡断熱材、８は扉内板、１２は基板組品である。基板組品１２は、操作部９を発光表示する操作部用発光手段３４、表示部１０を発光表示する表示部用発光手段１３、この表示部用発光手段１３の光の拡散を抑制して遮光する遮光手段３５、静電容量の変化を検出する検出部１４、判定部（図示せず），マイコンを含む自動制御部（図示せず）等を備えている基板１５、部分的に色を抜いて透光性の文字や図形等が設けられたフィルム１６、基板ケース１７等より構成されている。なお、本実施例では、操作部用発光手段３４と表示部用発光手段１３を総称して発光手段とする。
【００３６】
操作部用発光手段３４は、基板１５の前面に設けられた操作部用ＬＥＤ３４ａを有する。また、検出部１４の前面側には、操作部用ＬＥＤ３４ａからの光を拡散するための透明又は半透明の操作部用導光部（第一の導光手段）３４ｂを有する。
【００３７】
表示部用発光手段１３は、操作部用発光手段３４の反対側の面、即ち、基板１５の背面に設けられた表示部用ＬＥＤ１３ａを有する。また、表示部用ＬＥＤ１３ａからの光を基板１５の裏面側から前面側に導くための透明又は半透明の表示部用導光部（第二の導光手段）１３ｂを有する。
【００３８】
尚、操作部用導光部３４ｂ及び表示部用導光部１３ｂの材料は、樹脂やガラス等、透明又は半透明であればよい。
【００３９】
基板１５（検出部１４を含む）は、該基板１５の表側の一面がフィルム（基板前面部材）１６で覆われ、他の一面が基板ケース１７で覆われている。
【００４０】
フィルム１６は、操作部用導光部３４ｂ及び遮光手段３５の前面に密着又は近接して設けられる。また、フィルム１６は、操作部用発光手段３４及び表示部用発光手段１３からの光を裏面から前面に透過して、ガラス板６ａ側に透過させる構成である。また、フィルム１６は、その厚さがフィルム状やシート状のように薄く、未着色部や薄い着色部で光を透過できるものであればよい。
【００４１】
検出部１４は、左冷蔵室扉２ａへの組込み時には操作部９と対をなすものである。すなわち、図４に示すように、絶縁体であるガラス板６ａ、フィルム１６、操作部用導光部３４ｂを介して、操作部９が表側に検出部１４が裏側に重なるように配置される。
【００４２】
なお、判定部（図示せず）は、基板１５内において操作部９と検出部１４との間の静電容量の変化を検出する。静電容量に変化がある場合、当該静電容量の変化に応じて発振，振幅が変化する発振回路を含んでいる。これにより、判定部が出力するスイッチ信号，オン／オフ信号を取り出した自動制御部は、負荷を駆動させる。なお、単に操作部９の前を使用者が通ったり、冷蔵庫前面（左冷蔵室扉２ａ）を使用者が掃除のために拭いたりする動作等によっては、判定部が出力するスイッチ信号，オン／オフ信号を出力しない構成としてある。
【００４３】
扉前面板６を構成するガラス板６ａは絶縁体であり、且つ透光性の板材である。そして、ガラス板６ａ前面を操作部９とすべく、表示用タッチ部９ａを操作すると、ガラス板６ａの操作部９の裏面に接触又は近接して位置するフィルム１６に表された文字（又は図形記号）が、ガラス板６ａの前面に発光手段で照射されて、操作部９の操作内容が表示される。
【００４４】
操作部９に対向するガラス板６ａの裏面には、基板１５上に設けられ判定部に繋がる検出部１４が、フィルム１６及び操作部用導光部３４ｂを介してガラス板６ａに近接するように設けられる。操作部９に併設して設けられる表示部１０の文字や図形記号等は、発光手段で照射した際、ガラス板６ａの前面に透光するように、基板１５の表面を覆うフィルム１６に表わされている。
【００４５】
表示部１０の文字（又は図形記号）の表示は、基板１５上に設けられた表示部用発光手段１３により、裏面から照らされて明示される。更に、操作部９に手や指が触れると、基板１５上の検出部１４が、ガラス板６ａとの間の静電容量の変化を感知して、基板１５上の判定部に知らせる。そして、判定部が入力を検出すると、自動制御部を介して負荷を動作させる。
【００４６】
ここで、自動制御部を介して動作される負荷とは、急冷の場合、冷凍サイクルの強制連続運転，冷気循環ファン（図示なし）の強制連続運転、若しくは冷気供給量を制御するダンパーの強制「開」制御等である。これらの負荷を制御することにより、冷蔵室２ｄを急冷蔵としたり、冷凍室４ｄ１を急冷凍したりする。
【００４７】
次に、図４において、１８はケースカバーである。ケースカバー１８は、基板組品１２を発泡断熱材７より隔離する役目を果たす。また、基板１５表面のフィルム１６を、扉前面板６であるガラス板６ａに密接若しくは近接するように、基板組品１２をケースカバー１８内に保持する役目を果たす。
【００４８】
図４及び図５には、ガラス板６ａ裏面に施された透光性を有する有色塗料層１９を示す。有色塗料層１９はガラス板６ａの裏面全域に設けられている。
【００４９】
１９ａは保護フィルムである。保護フィルム１９ａは、ガラス板６ａに大きな衝撃が加えられてガラスが割れた場合や亀裂が入った場合であっても、周囲に飛び散らないよう保護している。また、この保護フィルム１９ａは、有色塗料層１９と同じ面に貼られている。このことにより、扉正面側より発泡断熱材７が透けることで、外観を損なうことを防止している。
【００５０】
また、基板組品１２の短手方向と、ガラス板６ａの短手方向は、交差するように配設されている。これは、ガラス板６ａに熱処理を加えた場合、ガラス板６ａの歪は長手方向に現れやすい性質に基づく。すなわち、この性質に鑑みて、基板組品１２を設置した場合における、ガラス板６ａの歪の影響を抑制する構成としている。
【００５１】
ここで、ガラス板６ａの長手方向に、基板組品１２の長手方向が沿うように組み込んだ場合、ガラス板６ａの歪の影響を受け、ガラス板６ａと基板１５上の検出部１４との間に隙間が生じやすくなる。これにより、操作部９からの入力内容が、検出部１４にうまく伝わらない、という課題を生じる。
【００５２】
そこで、本実施の形態では、基板組品１２の長手方向はガラス板の長手方向に交差する方向に配設している。
【００５３】
また、有色塗料層１９の裏面（発泡断熱材７側）には不透明塗料層１９ｂが施され、扉正面側から発泡断熱材７が透けて見えることを防止すると共に、有色塗料層１９の色斑を抑えて色の見え方を安定させている。この不透明塗料層１９ｂと有色塗料層１９とは同系色であり、且つ、有色塗料層１９と同等若しくは濃い色合いとし不透明としている。
【００５４】
不透明塗料層１９ｂは、フィルム１６に表された操作部９及び表示部１０の文字や図形等の投影面には設けられていない。詳細には、有色塗料層１９の裏面に設けられた不透明塗料層１９ａは、操作部９及び表示部１０に対応する領域には塗布せず、代わりに、操作部９及び表示部１０に対応する領域には透明のクリア層１９ｃが施される。このとき、クリア層１９ｃの端部は、不透明塗料層１９ａの端部と重なって設けられる。
【００５５】
更に、不透明塗料層１９ｂの裏面に、操作部９及び表示部１０に対応する領域を避けて保護フィルム１９ａが設けられる。このとき、保護フィルム１９ａの端部は、クリア層１９ｃの端部と重なって設けられる。
【００５６】
即ち、ガラス板６ａにおいて、操作部９及び表示部１０が表示される領域は、有色塗料層１９、クリア層１９ｃ、保護フィルム１９ａの順番に層が構成される。また、操作部９及び表示部１０が表示されない領域は、有色塗料層１９、不透明塗料層１９ｂ、保護フィルム１９ａの順番に層が構成される。
【００５７】
そして、基板１５の前面を覆うフィルム１６に表された操作部９及び表示部１０の文字や図形等は、クリア層１９ｃの裏面側に密着又は近接して位置する。換言すると、不透明塗料層１９ｂは、フィルム１６に表された操作部９及び表示部１０の前方投影位置より外側に位置し、操作部９及び表示部１０の前方投影位置には有色塗料層１９と、有色塗料層１９の背面のクリア層１９ｃとを有する。この構成により、フィルム１６及び基板１５をガラス板６ａ背面に組み込む際に、ガラス板６ａの傷付を防止することができる。
【００５８】
この構成により、操作部用発光手段３４及び表示部用発光手段１３を発光させていない状態では、操作部９及び表示部１０の文字や図形等は表示されず、ガラス板６ａの前面には有色塗料層１９の色が表れる。操作部９及び表示部１０の文字や図形等や発泡断熱材７が透けて見えることを防ぐことができ、操作部９及び表示部１０の非表示時の外観意匠性を向上した。
【００５９】
また、不透明塗料層１９ｂの色とフィルム１６の前面に施された色とを同系色とした。有色塗料層１９の裏面に塗布された不透明塗料層１９ｂは、操作部９及び表示部１０を発光表示させるため、部分的に塗布されず、例えば矩形状の窓部を形成するように設けられている。このとき、不透明塗料層１９ｂの色とフィルム１６の前面の色とを異なる色又は極端に濃淡の異なる色とした場合、互いの色調が異なることから不透明塗料層１９ｂとフィルム１６との境界が扉前面側から透けて見える虞がある。
【００６０】
そこで、不透明塗料層１９ｂの色とフィルム１６の前面の色とを同系色として互いの色調を統一することで境界を目立たなくし、外観意匠性を向上した。
【００６１】
尚、本実施の形態においては、ガラス板６ａの裏面に施した有色塗料層１９、不透明塗料層１９ｂ、クリア層１９ｃは塗料としたが、着色したフィルムやシート等でもよい。
【００６２】
また、冷蔵庫の扉表面を１枚のガラス板６ａとすることにより、製造原価を低減することができる。なお、ガラス板６ａと検出部１４の前方に配された操作部用導光部３４ｂとの隙間は、ガラス板６ａの歪を含め０.２ｍｍ以下とする必要がある。０.２ｍｍ以上の隙間が生じた場合、操作部９からの入力内容が、検出部１４にうまく伝わらないことがある。
【００６３】
また、基板組品１２は、冷蔵庫本体１の最上部に設けられた冷蔵室２ｄの扉、すなわち、左冷蔵室扉２ａに設けられている。この高さ位置は、小さな子供の手が届かない位置である。また、使用者にとって見やすく操作し易い位置となる。
【００６４】
さらに、本実施形態の場合、操作部９及び表示部１０が従来の如く扉前面板６より突出していない。これにより、小さな子供は操作部９及び表示部１０がそこにあること自体を認識し難い。すなわち、子供による悪戯操作を低減できる。
【００６５】
図６は、本発明の実施の形態に係る基板組品の上面図である。図７は、図１に示す扉のＢ−Ｂ断面図である。図８は、本発明の実施の形態に係る基板ケースを説明する図である。図９は、本発明の実施の形態に係る基板組品の分解斜視図である。図１０は、図９に示す基板組品から前面を覆うフィルムを除いた状態の正面図である。図１１は、図１に示す扉のＢ−Ｂ断面の要部拡大図であって、表示部用発光手段１３の詳細図である。図１２は、遮光部の要部縦断面図である。図１３は、操作部用導光部３４ｂの裏面を説明する斜視図である。図１４は、フィルム１６の裏面を説明する図である。
【００６６】
図において、２ａは左冷蔵室扉、６は扉前面板、７は発泡断熱材、８は扉内板、１１は蓋、１２は基板組品、１６はフィルム、１７は基板ケースである。
【００６７】
図９、図１０、図１１に示すように、基板組品１２は、基板ケース１７、表示部用発光手段１３、基板１５、フィルム１６、操作部用発光手段３４、遮光手段３５等が組み合わされたものである。操作部用発光手段３４及び遮光手段３５は基板１５の同一面、即ち、基板１５の前面側に併設している。
【００６８】
表示部１０の背面側には、当該表示部１０の文字や図形等を後ろから照明するための表示部用発光手段１３が設けられている。基板１５は、複数の孔部１５ｂが形状され、当該複数の孔部１５ｂのそれぞれから、表示部用導光部（第二の導光手段）１３ｂが基板１５の前面側に突出するように設けられている。
【００６９】
また、表示部用導光部１３ｂは複数設けられ、表示部１０の文字や図形等のそれぞれに対応し且つ前後に重なって位置するように設けられる。尚、複数の表示部用導光部１３ｂは、透光性を有する樹脂を一体成型したものであり、基板１５の裏面側では表示用導光部１３ｂのそれぞれは繋がって成型されている。
【００７０】
基板１５に設けられた表示部用導光部１３ｂによって導かれた光の拡散を抑えるため、基板１５とフィルム１６との間には、暗い色調（一例として黒色系）の樹脂からなる遮光手段３５が配置される。この遮光手段３５は板状樹脂材であって、複数の表示部用導光部１３ｂの周囲を全周に亘ってそれぞれ囲むように、複数の孔部３５ａが形成される。換言すると、基板１５の前面側に位置した表示部用導光部１３ｂの周囲は、孔部３５ａを形成する複数の枠部によりそれぞれ囲われることで、複数の表示部用導光部１３ｂはそれぞれが独立した導光部となる。更に、表示部用導光部１３ｂの側面の全周を遮光手段３５で囲むことで、表示部用導光部１３ｂの外部に光が漏れ難くし、表示部用導光部１３ｂ内部で光の反射及び拡散を行い、発光表示される文字の照度斑を抑え、均一に表示することができる。また、他方の表示部用導光部１３ｂや隣接する他の表示文字への光の漏れを抑制し、表示時の外観意匠性及び表示内容の誤表示を防ぐことができる。
【００７１】
また、遮光手段３５を暗い色調（一例として黒色系）にしたことで、表示部用ＬＥＤ１３ａからの光を表示部用導光部１３ｂ内部で反射及び拡散させることができ、表示する文字や図形等の照度斑を抑えて明確に表示することができる。
【００７２】
以上の構成の如く、基板１５の同一面に、表示部用発光手段１３、検出部１４、操作部用発光手段３４、遮光手段３５を配置することで、基板の薄型化を図ることができる。
【００７３】
基板組品１２において、遮光手段３５及び表示部用導光部１３ｂの前方への突出高さ位置は、同一若しくは遮光手段３５の方が高くなるように位置している。これにより、表示部用導光部１３ｂからの光を遮光手段３５によって遮ることができ、隣接する他の表示部用導光部１３ｂに光が漏れることを抑制できる。また、フィルム１６は表示部用導光部１３ｂと密接又は近接して設けられており、フィルム１６によって遮光手段３５の孔部３５ｂを塞ぐような形態になるので、表示部用導光部１３ｂからの光の漏れを抑制することができる。
【００７４】
これにより、隣り合う複数の文字の内、いずれかの文字のみを明確に表示でき、表示部及び操作部の表示時の外観意匠性を向上するとともに、使用者が冷蔵庫の設定状態を明確に視認することで、誤操作することを防ぐ。
【００７５】
また、本実施の形態においては、表示部用ＬＥＤ１３ａは青色、緑色、オレンジ色等の発光色であるのに対し、操作部用ＬＥＤ３４ａは白色の発光色である。表示部用導光部１３ｂおよび操作部用導光部３４ｂは基板１５の前面に併設して設けられている。この場合、表示部用ＬＥＤ１３ａと操作部用ＬＥＤ３４ａとが同時に発光すると、互いの光が干渉し合って文字又は図形の投光や見え方に影響がでる虞がある。
【００７６】
そこで、遮光手段３５及び操作部用導光部３４ｂの前面の高さ位置は、同一若しくは遮光手段３５の方が高くなるように配置した。これにより、互いの光を遮ることができ、光の色彩の異なる表示部１０及び操作部９の文字をそれぞれ明確に表示することができる。
【００７７】
また、遮光手段３５の前方側の位置と、基板ケース１７の前面外周縁部２１ａの位置は、同一もしくは遮光手段３５の方が前方側に高くなるように配置している。これにより、基板ケース１７の外縁部（フランジ部）１７ａにフィルム１６を貼り付けた際、フィルム１６の裏面と遮光手段３５の前面とを近接又は密着することができる。即ち、前述したとおり、遮光手段３５と表示用導光部１３ｂとの高さは、同一もしくは遮光手段３５の方が高く配置されているので、基板ケース１７にフィルム１６を貼り付けたときに、遮光手段３５の孔部３５ａをフィルム１６で塞ぐような形態にできる。
【００７８】
これにより、個々の表示部用導光部１３ｂ内で光を効率よく拡散させ、発光表示させる文字の照度斑を抑え明確に表示することができる。また、一方の表示部用導光部１３ｂから他方の表示部用導光部１３ｂへの光の漏れを抑制することで、意図しない文字の投光表示を防ぎ、表示部１０の発光表示時の外観意匠性を向上するとともに、表示部１０を明確に視認可能として、操作部９の誤操作を防ぐ。
【００７９】
また、図１１に示すとおり、遮光手段３５の背面側で且つ孔部３５ａの周囲には、基板１５の前面に設けられた抵抗部品１３ｃを収納するための凹部３５ｂが形成されている。即ち、基板１５の裏面に設けられた表示部用ＬＥＤ１３ａの抵抗部品１３ｃは、基板１５の前面に設けられている。この抵抗部品１３ｃは、基板１５前面の表示部用導光部１３ｂの側部近傍に位置し、遮光手段３５に設けられた凹部３５ｂで覆われる。この凹部３５ｂを設けたことで、抵抗部品１３ｃを収納するために遮光手段３５よりも前側に凸部を形成することなく、遮光手段３５前面が平面状になるため、基板組品１２を薄型化できる。
【００８０】
図１２に示すとおり、遮光手段３５は、フィルム１６側の外縁端部３５ｃと基板１５側の外縁端部３５ｄとで、それぞれ角度や形状が異なって形成されている。詳細には、フィルム１６側に位置する外縁端部３５ｃはほぼ直角で形成され、基板１５側に位置する外縁端部３５ｄは丸みを帯びた形状若しくは鈍角で形成されている。このように、フィルム１６側の外縁端部をほぼ直角に形成することで、表示部用導光部１３ｂからの光の漏れを抑制することができる。
【００８１】
図９及び図１０に示すように、操作部９の背面には、静電容量の変化を検出する検出部１４が位置する。この検出部１４は基板１５表面に複数設けられており、その近傍には操作部用ＬＥＤ３４ａが設けられている。基板１５の検出部１４と操作部用ＬＥＤ３４ａが設けられた領域には、高反射性色調（一例として白色系）で塗装されている。これにより、操作部用ＬＥＤ３４ａの光を反射させ、操作部用導光部３４ｂ一様に光を拡散させることができる。尚、当該白色領域はレジスト印刷、シルク印刷等、特に限定するものではない。
【００８２】
検出部１４の前面側、即ち、前述の白色で塗装された領域を覆うように、透明又は半透明の操作部用導光部３４ｂが配置される。操作部用ＬＥＤ３４ａから照射された光が操作部用導光部３４ｂを介することで、フィルム１６に有する透光性の文字や図形等がガラス板６ａ上に透過し表示される。
【００８３】
図１０に示すように、基板１５の前面で且つ検出部１４の周囲に操作部用ＬＥＤ３４ａが複数設けられる。検出部１４の前面側に配置した操作部用導光部３４ｂには、それぞれの操作部用ＬＥＤ３４ａが設けられた位置に対応して、複数のＬＥＤ配置部３４ｃが形成さている。ＬＥＤ配置部３４ｃは、操作部用導光部３４ｂの端部凹形状部又は孔形状部で形成されている。
【００８４】
操作部用ＬＥＤ３４ａと操作部用導光部３４ｂとは基板１５の同一面に配置されることになり、操作部用ＬＥＤ３４ａからの光は、前面側（ガラス板６ａ側）へ向けて照射されず、矢印Ｒで示すようにＬＥＤ配置部３４ｃから入光し側方に向けて照射され、操作部用導光部３４ｂの側部から操作部用導光部３４ｂ上に一様に拡散される。
【００８５】
また、操作部用ＬＥＤ３４ａと操作部用導光部３４ｂとを基板１５の前後方向ではなく、基板１５の幅方向に併設したことで、基板組品１２を薄型化でき、基板組品１２の裏側に充填される発泡断熱材７の厚みを増すことができ断熱性能を確保できる。
【００８６】
図１３に示すように、操作部用導光部３４ｂには、操作部用ＬＥＤ３４ａの光をより集めるための楕円形の凹溝からなる集光凹部（第一の集光部）３４ｄが複数設けられている。この集光凹部３４ｄは、操作部９の表示文字又は表示図形（一例として、「節電、冷凍、冷蔵、製氷」等の文字状図形）の周囲を環状に囲むように発光させ、使用者が操作する部分を判り易く釦のように見せる。ＬＥＤの光は、一般的に導光部材の端部に集中し易いので、光をより集めて強調したい箇所に端部、即ち、凹溝からなる集光凹部３４ｄを設け、操作部９の表示文字又は表示図形を囲む環状部を明確に表示させる。尚、本実施の形態では環状部を楕円形としたが、勿論この形状に限定されるものではない。また、集光凹部３４ｄで囲まれた領域内にも操作部用ＬＥＤ３４ａの光が導かれるので、集光凹部３４ｄで囲まれた領域前方に位置する操作部９の表示文字又は表示図形も投光表示される。
【００８７】
また、操作部用導光部３４ｂの遮光手段３５と隣接する辺には、略三角形状の凹部からなる集光端部凹部（第二の集光部）３４ｅが複数設けられている。これら集光端部凹部３４ｅの略三角形状の先端部が、隣接又は所定間隔で並んで設けられた複数の集光凹部３４ｄの間に近接するように設けられる。一般的に、ＬＥＤの光は導光部材の端部に集中する。このことから、本実施形態では、複数の操作部９の位置にそれぞれ対応する位置で且つ基板１５との対向面に操作部用ＬＥＤ３４ａからの光を集光する複数の第一の集光部（集光凹部）３４ｄと、複数の第一の集光部３４ｄの配列方向であって、且つ複数の第一の集光部３４ｄの間に位置する第二の集光部（集光端部凹部）３４ｅと、を備える。すなわち、集光端部凹部３４ｅを集光凹部３４ｄに近接して設けたことで、集光凹部３４ｄへより多くの光を集めることが可能となる。
【００８８】
また、操作部用導光部３４ｂの遮光手段３５と隣接又は近接する辺の裏面側には、遮光手段３５に向かって先細りになる傾斜部（図示せず）が設けられている。この傾斜部も集光端部凹部３４ｅと同様の効果、即ち、操作用ＬＥＤ３４ａの光を集光凹部３４ｄに集めることができる。
【００８９】
また、複数の操作部用ＬＥＤ３４ａの内、基板１５の長手方向に並んで配置された操作部用ＬＥＤ３４ａは、隣り合った検出部１４の間で且つ検出部１４の配列方向に対して直交方向に検出部１４の縁部より外側に離れた位置になるように配置される。即ち、操作部用ＬＥＤ３４ａからの光は図１３に示す矢印Ｒの方向に照射され、指向性の最も強い光は、検出部１４同士の間に照射される。これは、検出部１４の中心に向けて直接照射した場合、光が文字の中央部に集中し、表示される文字の中央部が明るすぎる又は文字の端部が暗くなる等の照度斑が生じる虞がある。そこで、隣り合う検出部１４の間に向けて照射して、一個の操作部用ＬＥＤ３４ａで隣り合う二つの検出部１４周囲を照射することで、光を均等に拡散し、操作部９の表示文字又は表示図形（前述の環状部を含む）の照度斑を抑制して明確に表示するとともに、使用するＬＥＤの数を減らすことができる。
【００９０】
また、操作部用導光部３４ｂの前面又は背面の少なくとも一面には、操作部用ＬＥＤ３４ａの光を操作部用導光部３４ｂに一様に拡散させるために、シボ加工（表面に細かい皺の模様を形成する加工）が施されている。
【００９１】
また、操作部用導光部３４ｂに設けられたＬＥＤ配置部３４ｃには、操作部用ＬＥＤ３４ａの照射方向と対向する端面に、略三角形状の凹凸部又は波形状部（図示せず）が複数形成される。これにより、操作部用ＬＥＤ３４ａの光を操作部用導光部３４ｂ上に一様に拡散させている。
【００９２】
図１４に示すとおり、フィルム１６の裏面側は白色系の色としたことで、操作部用発光手段３４及び表示部用発光手段１３からの光を拡散させ、表示される文字の照度斑を抑えて、部分的に暗く又は明るくなることを抑制して均一に表示することができる。
【００９３】
また、フィルム１６の裏面の操作部９及び表示部１０の透光性文字の周囲に白色の拡散性塗装３６を施している。これにより、操作部用発光手段３４及び表示部用発光手段１３からの光を拡散させ、表示される文字の照度斑を抑えて、部分的に暗くなる又は明るくなることを抑制して均一に表示することができる。
【００９４】
基板１５は、検出部１４，判定部（図示せず）及びマイコンを含む自動制御部（図示せず）等を備えている。
【００９５】
基板１５は、一面がフィルム１６で覆われ、他面が基板ケース１７で覆われている。フィルム１６は、検出部１４に密着している。また、ＬＥＤ発光部１３の光を透過する。
【００９６】
検出部１４は、左冷蔵室扉２ａへの組み込み時には、ガラス板６ａ側の操作部９と対をなすものである。すなわち、絶縁体であるガラス板６ａ及びフィルム１６の前側に操作部９が設けられ、検出部１４が裏側（フィルム１６を介して基板１５側）になるよう図４の如く重なるように設けられている。
【００９７】
次に、２０はスライド部材である。スライド部材２０は、図９Ａに示すように、基板ケース１７の四隅に夫々設けられている。
【００９８】
２１は基板１５を収納する凹部である。凹部２１は、基板ケース１７に設けられており、基板１５が備えるマイコン等が収納される深さを有する。
【００９９】
この基板ケース１７は低反射色調である灰色系の色調（樹脂成形による色、塗装、又はフィルム転写等）で形成されている。基板ケース１７の色が白色等の光を反射させ易い色の場合、表示部用ＬＥＤ１３ａを発光させたとき、表示部用ＬＥＤ１３ａの背面側の基板ケース１７によって光が反射及び拡散し、光の漏れが生じる虞がある。そこで、基板ケース１７の色を光が反射し難い灰色系の色とすることで、表示部１０に記された複数の表示文字の内、特定の文字のみを表示させたとき、隣接した文字側に光が漏れて、表示する必要のない文字を表示されてしまうことを抑制する。
【０１００】
尚、基板ケース１７の色は灰色に限ったものではなく、光を反射し難い色や表面処理を行ったものであればよい。また、基板ケース１７の表示部用導光部１３ｂに対向する箇所に塗装を施してもよい。
【０１０１】
２２は、基板１５と冷蔵庫本体１側に設けた別の基板（図示せず）との間を接続するためのコネクタである。コネクタ２２は、基板ケース１７の端部に図６の如く設けられている。
【０１０２】
２３は基板ケース１７の底面に設けられた係止部である。係止部２３は、樹脂製の基板ケース１７と一体に設けられている。弾性を有しており、矢印Ｑ方向に可変可能に形成されている。
【０１０３】
２４は挿入部である（図８参照）。挿入部２４は、左冷蔵室扉２ａの扉枠２ｃ側面に図に示す如く設けられている。挿入部２４は、ケースカバー１８と一体に設けられている。換言すると、ケースカバー１８によって形成される空間の入口部を、挿入部２４によって構成している。
【０１０４】
１１は、挿入部２４を着脱自在に閉塞する蓋である。蓋１１は、図７及び図８に示すように、扉枠２ｃと平面をなすように設けられている。これにより、使用者が左冷蔵室扉２ａを開けた場合でも、蓋１１と扉枠２ｃとの境界が目立たず、意匠性を損なわない。また、蓋１１と扉枠２ｃとを同一色とすることで、さらに意匠性を損なわないことに寄与する。
【０１０５】
２５は、ケースカバー１８に設けられた基板案内手段（ガイド溝）である。ガイド溝２５は、挿入部２４から挿入された基板組品１２を、ケースカバー１８内にスライドして案内する。すなわち、基板ケース１７に設けられたスライド部材２０を、ガイド溝２５内をスライドさせて、基板組品１２をケースカバー１８内に組み込む。
【０１０６】
この時、ガイド溝２５の終端部２５ａ付近で、基板１５表面側とガラス板６ａ間の寸法を可変させる。すなわち、ガイド溝２５は、基板１５上の検出部１４がガラス板６ａに密着或いは近接するように、終端部２５ａがスライド部材２０を導く構造を成している。換言すると、基板組品１２を挿入部２４に差し込む時点では、ガイド溝２５の入口部２５ｂは、基板組品１２の組み込み性を考慮して、検出部１４をガラス板６ａより離れた位置でスライドさせて、組み込み終わる位置で検出部１４がガラス板６ａに密着或いは近接するように、終端部２５ａが起き上がるように構成される。
【０１０７】
また、基板ケース１７は、横長の長方形状をなしている。すると、上記のようにスライド部材２０のみでは、基板ケース１７の中央付近が湾曲して、基板１５上の検出部１４がガラス板６ａから離れるおそれがある。
【０１０８】
そこで、本実施形態では、基板ケース１７の背面中央よりの上下端には、凸部１７ｂが設けられている。これにより、基板ケース１７をケースカバー１８内に組み込んだ場合、凸部１７ｂが基板ケースの湾曲を矯正するように作用する。よって、基板１５上の検出部１４が、ガラス板６ａに密着或いは近接するように設けることができる。
【０１０９】
また、ケースカバー１８の背面には、図８に示すように、複数のリブ１８ａが設けられている。すなわち、発泡断熱材７と接する側に、複数のリブ１８ａが設けられている。
【０１１０】
発泡断熱材７が充填発泡された場合、発泡圧がケースカバー１８に作用する。この場合、複数のリブ１８ａによって、発泡圧によるケースカバー１８の変形を抑制することができる。また、リブ１８ａは、当該リブ１８ａに沿って発泡断熱材７が流動するように導くので、充填発泡を阻害しないように作用する。さらに、リブ１８ａを取り囲むように発泡断熱材７が均等に充填されて硬化するため、ケースカバー１８の固定を確実にすることができる。
【０１１１】
以上より、発泡断熱材７の充填発泡によって、ケースカバー１８が変形したりずれたりすることを抑制することができるため、ケースカバー１８内に基板組品１２を組み込む場合、ガイド溝２５とスライド部材２０との位置ずれを抑制することができる。すなわち、確実に基板１５上の検出部１４がガラス板６ａに密着或いは近接するように設けることができる。
【０１１２】
次に、ガラス板６ａとケースカバー１８によって形成された空間２６内に、基板組品１２を組み込む場合について、さらに図７を参照しながら説明する。
【０１１３】
入口部２５ｂ側のスライド部材２０を、ガイド溝２５の入口部２５ｂに位置した状態でガイド溝２５に沿って軽く押し込む。すると、終端部２５ａ側のスライド部材２０は、ガイド溝２５の終端部２５ａにさしかかり、基板組品１２の検出部１４（図４参照）が、フィルム１６を介してガラス板６ａに密接或いは近接する。
【０１１４】
入口部２５ｂ側のスライド部材２０は、図７に示すように、入口部２５ｂからガイド部２５ｃに乗り、基板ケース１７に設けられた係止部２３は、弾性力に抗してストッパー２７を乗り越えてからストッパー２７に係止する。これにより、基板組品１２は、検出部１４がフィルム１６を介して扉前面板６であるガラス板６ａに密着或いは近接した状態で固定される。
【０１１５】
次に、基板側のコネクタ２２は、挿入部２４側に位置している。図８に示すように、電源コード等のケーブル線２８は、ケースカバー１８内に予め引き込まれている。そして、ケーブル線２８の先端であるケーブル線側コネクタ２９を、基板側のコネクタ２２に差し込む。これにより、ケーブル線２８を空間２６内で纏めることができる。この状態で蓋１１を取り付けて、組み立て作業が終わる。なお、点検・修理時に基板組品１２を取り外す場合、上記と逆の操作をすればよい。
【０１１６】
なお、ケーブル線２８は、扉２の発泡断熱材７側より空間２６に引き込まれている。空間２６への引き込み口３０は、図７に示すように、蓋１１に近い所に設ける。これにより、ケーブル線２８の纏め作業が効率的になる。
【０１１７】
また、引き込み口３０は、左冷蔵室扉２ａを冷蔵庫本体１に組み込んだ時、空間２６の上方に位置させる。これにより、空間２６に付いた結露水が、引き込み口３０より発泡断熱材７側に浸入するのを防止できる。
【０１１８】
なお、ガラス板６ａの裏面に直接印刷等により表示部１０を形成し、フィルム１６を除去する構成とする場合には、次の課題が生じる。発泡断熱材７を充填させる工程において、ガラス板６ａに設けた表示部１０とケースカバー１８が、発泡圧力により約１〜２ｍｍ程度の位置ずれを生じる。すなわち、ケースカバー１８に設けたガイド溝２５により、基板組品１２が位置決めされるため、基板１５上に設けられた表示部用ＬＥＤ１３ａと表示部１０との間、及び操作部用ＬＥＤ３４ａと操作部９との間で、それぞれ位置ずれが生じる。そのため、表示部１０お呼び操作部９に照明斑が発生し、外観上好ましくない。また、位置ずれを考慮して、文字表示部を大きくすることは、外観上好ましくない。
【０１１９】
すなわち、基板組品１２を基板ケース１７，基板１５、及びフィルム１６等より構成することで、発泡断熱材７を充填させる工程において、ケースカバー１８が位置ずれを生じても、表示部１０及び操作部９の照明斑を生じにくい構成である。
【０１２０】
本実施例では、基板ケース１７に設けた４片のスライド部材２０とケースカバー１８に設けたガイド溝２５との関係で、基板組品１２をガラス板６ａに密着又は近接させる構造を説明した。しかし、これは検出部１４をガラス板６ａに密着又は近接させるための一例であり、この構成に限定されるものではない。また、挿入部２４を設ける位置も上記で説明した扉側面に限定されるものではなく、扉底面，上面或いは背面（発泡断熱材側）であってもよい。
【０１２１】
また、組み込み状態で挿入部２４側に位置するフィルム１６端部（図９では正面視で右側上下端部、図１４では背面視で左側上下端部）には、面取り部１６ａ（傾斜部）が形成されている。すなわち、貯蔵室扉２ａの端部には、フィルム１６、基板１５、及び基板ケース１７を一体に所定位置に組み込み配置する挿入部２４を備え、フィルム１６は、所定位置で挿入部２４側に位置する上下端部に傾斜部（面取り部）１６ａを備える。これにより、点検・修理時に基板組品１２を挿入部２４から引き抜く場合、フィルム１６の端部が挿入部２４縁部に引っ掛かり基板ケース１７から剥離することを抑制することができる。
【０１２２】
また、組み込み状態で挿入部２４側に位置する基板ケース１７端部（図９、図１０では正面視で右側上下端部）にも、面取り部１７ａ１（傾斜部）を形成することにより、基板組品１２を挿入部２４から引き抜く場合、基板組品１２の端部が挿入部２４縁部に引っ掛かることを抑制し、基板組品１２の取り外し作業が容易となる。換言すると、フィルム１６端部の面取り部１６ａ、及び基板ケース１７端部の面取り部１７ａ１により、挿入部２４の空間を大きく形成しなくとも、基板組品１２の端部が挿入部２４縁部に引っ掛かることを抑制して、基板組品１２の取り外し作業を容易にしている。
【０１２３】
次に、図９において、基板組品１２は、基板ケース１７，ＬＥＤ発光部１３，基板１５，フィルム１６等より構成されている。そして、基板ケース１７の凹部２１に、基板１５が収納される。なお、基板１５の前面は、基板ケース（基板収納部材）１７に設けたフランジ部１７ａと同一平面となるよう収納される。この状態で粘着剤付きフィルム１６が、基板１５の表面１５ａ及び基板ケース１７のフランジ部１７ａに密着固定される。
【０１２４】
従って、基板１５上の検出部１４とフィルム１６間には空間部が存在しないか或いは近接するように構成している。
【０１２５】
次に、表示部用発光手段１３の構成について、図１１を参照しながら説明する。基板１５の検出部１４の反対面には、表示部用ＬＥＤ１３ａが配置される。表示部用ＬＥＤ１３ａの近傍には、孔部１５ｂが設けられる。孔部１５ｂ内には、ＬＥＤ透光部１３ａが設置される。孔部１５ｂの対向面には、フィルム１６が配置される。
【０１２６】
これにより、表示部用ＬＥＤ１３ａが点灯した場合、表示部用ＬＥＤ１３ａの対向面に配置された表示部用導光部１３ｂの根元１３ｂ１に入光される。表示部用導光部１３ｂは、ポリスチレンの透明樹脂或いはアクリルの透明樹脂材等で射出成形されている。そのため、図１１の矢印の如く、表示部用導光部１３ｂ内を屈折して透光して、表示部用導光部１３ｂの表面１３ｂ２を点灯させる。これにより、フィルム１６の表示文字を照らす構成である。
【０１２７】
なお、図９にも示す如く、フィルム１６に印刷されている急冷蔵，急冷凍等の表示文字に対応して全て照らす必要がある。そのため、本実施例では、図９に示すように、基板１５に複数の孔部１５ｂ及び表示部用ＬＥＤ１３ａが設けられ、当該複数の孔部に対応するように表示部用導光部１３ｂが複数設けられている。
【０１２８】
本構成によれば、基板１５を内蔵した基板ケース１７の厚さ寸法を抑えることができ、発泡断熱材７の厚さを充分に確保することができる。
【０１２９】
そして、図示しないが、自動制御部から点灯指示された場合、フィルム１６の裏側から表示部１０を照らし、ガラス板６ａを透過してライトアップして文字を見やすくする。
【０１３０】
換言すると、本実施例におけるＬＥＤ発光部１３は、検出部１４が静電容量を検出した時のみ点灯するものである。すると、実使用状態において、小さな子供にはガラス板６ａそのものが操作部９であると認識し難い。よって、悪戯等を防止することができる。
【０１３１】
なお、フィルム１６に印刷等で表わされた文字は、使用者にはガラス板６ａを透過して視認できるものである。
【０１３２】
ＬＥＤ発光部１３の点灯は、次のように行われる。すなわち、ガラス板６ａを通して前面に見える文字部分の操作部９に、使用者が指等を触れると、検出部１４がこれを検出する。すると、判定部及び自動制御部が動作し、例えば急冷蔵が指示された場合、表示部１０の「急冷蔵」の文字部分を照らすべく点灯する。
【符号の説明】
【０１３３】
２ａ  左冷蔵室扉（貯蔵室扉）、
２ｃ  扉枠、
６  扉前面板（扉前面部材）、
６ａ  ガラス板、
７  発泡断熱材、
８  扉内板、
９  操作部、
９ａ  表示用タッチ部、
１０  表示部、
１１  蓋、
１２  基板組品、
１３  表示部用発光手段（発光手段）、
１３ａ  表示部用ＬＥＤ、
１３ｂ  表示部用導光部（第二の導光手段）、
１３ｂ１  表示部用導光部の根元、
１３ｂ２  表示部用導光部の表面、
１３ｃ  抵抗部品、
１４  検出部、
１５  基板、
１５ｂ  孔部、
１６  フィルム（基板前面部材）、
１６ａ  面取り部（傾斜部）、
１７  基板ケース（基板収納部材）、
１７ａ  フランジ部（前面外周縁部）、
１７ａ１  面取り部（傾斜部）、
１８  ケースカバー、
１９  有色塗料層、
１９ａ  保護フィルム、
１９ｂ  不透明塗料層、
１９ｃ  クリア層、
２０  スライド部材、
２１  凹部、
２２  コネクタ、
２３  係止部、
２４  挿入部、
２５  ガイド溝（基板案内手段）、
２５ａ  終端部、
２５ｂ  入口部、
２５ｃ  ガイド部、
２６  空間、
２７  ストッパー、
２８  ケーブル線、
２９  ケーブル線側コネクタ、
３０  引き込み口、
３４  操作部用発光手段（発光手段）、
３４ａ  操作部用ＬＥＤ、
３４ｂ  操作部用導光部（第一の導光手段）、
３４ｃ  ＬＥＤ配置部、
３４ｄ  集光凹部（第一の集光部）、
３４ｅ  集光端部凹部（第二の集光部）、
３５  遮光手段、
３５ａ  孔部、
３５ｂ  凹部、
３５ｃ  外縁端部（フィルム側）、
３５ｄ  外縁端部（基板側）、
３６  拡散性塗装
【図１】
0006012567.tif 000002
【図２】
0006012567.tif 000003
【図３】
0006012567.tif 000004
【図４】
0006012567.tif 000005
【図５】
0006012567.tif 000006
【図６】
0006012567.tif 000007
【図７】
0006012567.tif 000008
【図８】
0006012567.tif 000009
【図９】
0006012567.tif 000010
【図１０】
0006012567.tif 000011
【図１１】
0006012567.tif 000012
【図１２】
0006012567.tif 000013
【図１３】
0006012567.tif 000014
【図１４】
0006012567.tif 000015